(57)【要約】【課題】遠隔センサー監視システムにおいて、センサーの設定とセンサーが感知した情報に応じ、配信する警告電子メールの設定において、システム使用者が、配信するセンサーとセンサー状態、配信する警告電子メールの配信先電子メールアドレス、配信する警告電子メールの配信先電子メール文の設定を、容易に変更ができないため、多人数でセンサー状態の監視を享受するシステムが構築できない。【解決手段】センサーの状態検知を多人数で享受するシステムにより、防犯効果を向上させるため、任意に、配信するセンサーとセンサー状態、配信する警告電子メールの配信先電子メールアドレス、配信する警告電子メールの配信先電子メール文の設定を、容易に変えることを最も主要な特徴とする【選択図】　　　　図３
2004145683.tif 000002
【特許請求の範囲】
【請求項１】
遠隔センサー監視システムにおいて、
パーソナルコンピュータの入力ポートに接続された
複数のセンサーの状態を、
複数のセンサーの状態変化時にインターネットを介し、
外部サーバーに記録することを特徴とする
遠隔センサー監視システム。
【請求項２】
遠隔センサー監視システムにおいて、
パーソナルコンピュータの入力ポートに接続された
複数のセンサーの状態変化に応じ、
インターネットを介し、
外部サーバから警告電子メールを配信することを特徴とする
遠隔センサー監視システム。
【請求項３】
パーソナルコンピュータの入力ポートに接続された
センサーの状態変化に応じ警告電子メールを配信するシステムにおいて、
警告電子メールを配信するセンサーの状態と、
配信先電子メールアドレスと、
配信電子メール文の警告電子メール配信の配信設定を
インターネット上で行なえることを特徴とする
遠隔センサー監視システム。
【発明の詳細な説明】
【０００１】
【発明が属する技術分野】
本発明は、遠隔センサー監視システムに関するものである。
【０００２】
【従来の技術】
遠隔センサー監視システムは、
緊急のセンサー状態に応じた情報をインターネットを介して
電子メール等により、
システム使用者の１箇所、
あるいは、遠隔センサー監視システムを用い監視業務を行なっている
警備会社や保安会社等に送信する
のみで実用上十分であった。
【０００３】
しかし、このシステムで、
各センサーの状態に応じて電子メール等により、
各センサーの情報を受け取り、
特定の警備者による警備及び保安、安全の確認及び処置をするときには、
前記各センサーを設置した場所が離れている程、
特定の警備者による警備及び保安、安全の確認及び処置を開始するまでの時間が長くなるという欠点があった。
図１は、従来の遠隔センサー監視システムの実施方法を示した説明図である。
１ｃはシステム使用者、２０は特定の警備者を表す。
この欠点は、センサーの異常警告が発信されてから警備及び保安、安全の
確認及び処置をするまでの時間が長くなるため、
本システムの大きな障害である。
【０００４】
また、従来の遠隔センサー監視システムは、
センサーの設定とセンサーが感知した情報に応じ、
配信する警告電子メールの設定において、システム使用者が、
配信するセンサーとセンサー状態、
配信する警告電子メールの配信先電子メールアドレス、
配信する警告電子メールの配信先電子メール文の設定
を、容易に変更ができないという欠点があった。
【０００５】
遠隔センサー監視システムにおいて、システム使用者が、
配信するセンサーとセンサー状態、あるいは、配信先電子メール文の設定を
容易に変更ができない欠点により、
システム使用者がセンサー監視システムのセンサーの接続は一意に決められ
センサーの接続を変更することができない。
【０００６】
【発明が解決しようとする課題】
解決しようとする問題点は、システム使用者が容易に警告電子メールの設定を行なえない点である。
【０００７】
【課題を解決するための手段】
本発明は、センサーの状態検知を多人数で享受するシステムにより、
防犯効果を向上させるため、任意に、
配信するセンサーとセンサー状態、
配信する警告電子メールの配信先電子メールアドレス、
配信する警告電子メールの配信先電子メール文の設定を、
容易に変えることを最も主要な特徴とする。
【０００８】
【発明の実施の形態】
センサーの状態検知を電子メールにより受け取り、
警備及び保安、安全の確認及び処置を開始するまでの時間を
短くするという目的を、
センサーの状態検知を多人数で享受するシステムにより可能とし、
配信するセンサーとセンサー状態、
配信する警告電子メールの配信先電子メールアドレス、
配信する警告電子メールの配信先電子メール文の設定を、
容易に変えるシステムで、
センサーの状態検知を多人数で享受するシステムの容易な連絡網構築を実現した。
【０００９】
【実施例】
図２は、本発明装置の
遠隔センサー監視システムの運用形態を示すための説明図であって、
概略を示す機能図である。
また、
１ａは外部コンピュータのＨＴＭＬ及びＪＡＶＡ　ＡｐｌｅｔとＥ−ｍａｉｌ、
１ｂは外部携帯電話のＨＴＭＬ及びＪＡＶＡ　ＡｐｌｅｔとＥ−ｍａｉｌ、
１ｃは人Ａ（システム使用者）、
２ａは外部コンピュータのＨＴＭＬ及びＪＡＶＡ　ＡｐｌｅｔとＥ−ｍａｉｌ、
２ｂは外部携帯電話のＨＴＭＬ及びＪＡＶＡ　ＡｐｌｅｔとＥ−ｍａｉｌ、
２ｃは人Ｂ（警備協力者）、
３ａは外部コンピュータのＨＴＭＬ及びＪＡＶＡ　ＡｐｌｅｔとＥ−ｍａｉｌ、
３ｂは外部携帯電話のＨＴＭＬ及びＪＡＶＡ　ＡｐｌｅｔとＥ−ｍａｉｌ、
３ｃは人Ｃ（警備協力者）、
４ａは自宅コンピュータのＪＡＶＡ、
４ｂは自宅コンピュータのデータ、
４ｃは自宅コンピュータのＤサブポート、
４ｄは自宅コンピュータのＤサブポート制御機器、、
４ｅはローカルエリアネットワーク、
４ｆはターミナルアダプタ（ルータ）、
４ｇはシステム使用者宅、
５ａは外部サーバのＣＧＩとｐｅｒｌ、
５ｂは外部サーバのデータ、
５ｂは外部サーバのデータ
である。
【００１０】
図３は、遠隔センサー多人数監視システムの実施方法を示した
機能ブロック図である。
【００１１】
図４は、遠隔センサー多人数監視システムの実施方法を示した
電子メール配信設定画面である。
【００１２】
図３に示すように、インターネット接続されたコンピュータ１ａ又はコンピュータ１ａ、
及び携帯電話１ｂから、図４に示す電子メール配信設定画面１５で、
確認するセンサー７ａとセンサー状態１５ａ、
配信する警告電子メールの配信先電子メールアドレス１５ｂ、
配信する警告電子メールの配信先電子メール文１５ｃの設定を行なう。
【００１３】
図３に示すように、センサーの状態が、電子メール配信設定画面１５で指定した、
センサー状態１５ａになった時、配信先電子メールアドレス１５ｂ宛てに、
配信先電子メール文１５ｃの内容で警告電子メールを配信する。
配信する警告電子メールの配信先電子メールアドレス１５ｂを
システム使用者１ｃと警備協力者２ｃと警備協力者３ｃに設定する場合、
システム使用者１ｃと警備協力者２ｃと警備協力者３ｃに、
同時に、警告電子メール１７、警告電子メール１８、
警告電子メール１９が配信される。
【００１４】
配信する警告電子メールの配信先電子メールアドレスの追加及び、
削除をインターネットで容易に行なうことができるため、
システム使用者１ｃが、システム使用者１ｃと警備協力者２ｃ
及び警備協力者３ｃの間で、状況に応じ変更でき、
システム使用者宅４ｇを中心とした、多人数による
遠隔センサー監視システムを柔軟に構築できる。
このように、システム使用者宅４ｇの安全確認を、
電子メール配信設定で設定した警備協力者が行なう。
【００１５】
このような運用形態を採用したので、
管理センターで巡回する警備者を配置することなく、警備及び保安、安全の確認及び処置を開始するまでの時間を
短くできる。
さらに、管理センターで巡回する特定の警備者を設けなくても良いため、
システム運用コストを低減する効果がある。
【００１６】
図６の実施例は、図４に示す電子メール配信設定画面１５によって、
図５に示す
確認するセンサー７ａとセンサー状態１５ａ、
配信する警告電子メールの配信先電子メールアドレス１５ｂ、
配信する警告電子メールの配信先電子メール文１５ｃの設定が
できるので、
集合住宅２０で使用する場合は、
配信する警告電子メールの配信先電子メールアドレス１５ｂを
集合住宅の管理人宅２１ａにして、集合住宅の管理人２１ｂに緊急時の安全管理を依頼して使用する。日中家を留守にしているに家が多い場合に、
おおいに役立つ。
【００１７】
【発明の効果】
以上説明したように、本発明の遠隔センサー監視システムは、
パーソナルコンピュータの入力ポートに接続されたセンサーの状態変化に応じ、警告電子メールを配信するシステムにおいて、
センサー情報をサーバーに送り、そのデータをサーバー内のプログラムにより，処理するため、
警告電子メールを配信するセンサー及びセンサーの状態と、
配信先電子メールアドレスと、
配信電子メール文の警告電子メール配信の配信設定を、
インターネット上で容易に変えられるので、
センサーの状態検知を多人数で享受するシステムを柔軟に構成できる
という利点がある。
また、センサーの状態検知を多人数で享受するシステムにより防犯効果は、
向上する。
また、集合住宅、一般住宅、会社等、設置する箇所の周辺環境に応じ、
センサーの状態検知を多人数で享受するシステムを柔軟に構成できる。
【図面の簡単な説明】
【図１】従来の遠隔センサー監視システムの実施方法を示した説明図である。
【図２】遠隔センサー多人数監視システムの実施方法を示した説明図である。（実施例１）
【図３】遠隔センサー多人数監視システムの実施方法を示した機能ブロック図である。（実施例１）
【図４】遠隔センサー多人数監視システムの実施方法を示した電子メール配信設定画面である。（実施例１）
【図５】遠隔センサー多人数監視システムの実施方法を示した電子メール配信設定画面の説明図である。（実施例１）
【図６】遠隔センサー多人数監視システムの実施方法を示した説明図である。（実施例２）
【符号の説明】
１ａ　　　外部コンピュータのＨＴＭＬ及びＪＡＶＡ　ＡｐｌｅｔとＥ−ｍａｉｌ
１ｂ　　　外部携帯電話のＨＴＭＬ及びＪＡＶＡ　ＡｐｌｅｔとＥ−ｍａｉｌ
１ｃ　　　システム使用者
２ａ　　　外部コンピュータのＨＴＭＬ及びＪＡＶＡ　ＡｐｌｅｔとＥ−ｍａｉｌ
２ｂ　　　外部携帯電話のＨＴＭＬ及びＪＡＶＡ　ＡｐｌｅｔとＥ−ｍａｉｌ
２ｃ　　　警備協力者１
３ａ　　　外部コンピュータのＨＴＭＬ及びＪＡＶＡ　ＡｐｌｅｔとＥ−ｍａｉｌ
３ｂ　　　外部携帯電話のＨＴＭＬ及びＪＡＶＡ　ＡｐｌｅｔとＥ−ｍａｉｌ
３ｃ　　　警備協力者２
４ａ　　自宅コンピュータのＪＡＶＡ
４ｂ　　自宅コンピュータのデータ
４ｃ　　自宅コンピュータのＤサブポート
４ｄ　　自宅コンピュータのＤサブポート制御機器
４ｅ　　ローカルエリアネットワーク
４ｆ　　ターミナルアダプタ（ルータ）
４ｇ　　システム使用者宅
５ａ　　外部サーバのＣＧＩとｐｅｒｌ
５ｂ　　外部サーバのデータ
５ｂ　　外部サーバのデータ
６　　　インターネット網
７ａ　　センサ１
７ｂ　　センサ２
８ａ　　機器１
８ｂ　　機器２
９　　　ＪＡＶＡ
１０　　メール配信（ＣＧＩ）
１１　　データ（配信時センサ状態／電子メールアドレス／電子メール文（ＣＳＶ））
１２　　データ（ログ（ＣＳＶ））
１３　　メール配信管理（ＣＧＩ）
１４　　ＪＡＶＡアプレット
１５　　ＨＴＭＬ（電子メール配信設定）
１５ａ　　配信するセンサーとセンサー状態、
１５ｂ　　配信する警告電子メールの配信先電子メールアドレス
１５ｃ　　配信する警告電子メールの配信先電子メール文の設定
１５ｄ　　修正ボタン、
１５ｅ　　配信するセンサーとセンサー状態、
１５ｆ　　配信する警告電子メールの配信先電子メールアドレス
１５ｇ　　配信する警告電子メールの配信先電子メール文の設定
１５ｈ　　追加登録ボタン
１６　　ＨＴＭＬ（遠隔センサー監視と電子メール配信設定）
１７　　電子メール１
１８　　電子メール２
１９　　電子メール３
２０　　警備者
２１　　集合住宅
２２ａ　　集合住宅の管理人宅
２２ｂ　　集合住宅の管理人
ＪＡＶＡは、米国Ｓｕｎ　Ｍｉｃｒｏｓｙｓｔｅｍｓ，Ｉｎｃ．の商標です。
【図１】
2004145683.tif 000003
【図２】
2004145683.tif 000004
【図３】
2004145683.tif 000005
【図４】
2004145683.tif 000006
【図５】
2004145683.tif 000007
【図６】
2004145683.tif 000008